(57)【要約】【課題】  無だなスペースのない使い勝手のよい冷蔵庫を提供することを目的とする。また、野菜の鮮度を維持でき野菜などを長期間保存可能な冷蔵庫を提供することを目的とする。また、簡単な構造でありながら低コストの冷蔵庫を得ることを目的とする。また、ポケットおよび底面部材の清掃性のよい衛生的な冷蔵庫を得ることを目的とする。【解決手段】  食品を所定の温度で貯蔵する冷蔵庫において、前面に開閉自在に装着された扉と、扉の内面に設けられ、底面が開口した底面開口部を有する上段ポケットと、上段ポケットに設けられ、上段ポケットの底面開口部を覆うように着脱可能に設けられ底面部材と、扉の内面に設けられ、上段ポケットの下部に設けられた下段ポケットと、を備え、底面部材が下段ポケットに収納可能とした。【選択図】        図２
2006057896.tif 000002
【特許請求の範囲】
【請求項１】
食品を所定の温度で貯蔵する冷蔵庫において、前面に開閉自在に装着された扉と、前記扉の内面に設けられ、底面が開口した底面開口部を有する上段ポケットと、前記上段ポケットに設けられ、前記上段ポケットの底面開口部を覆うように着脱可能に設けられ底面部材と、前記扉の内面に設けられ、前記上段ポケットの下部に設けられた下段ポケットと、を備え、前記底面部材が前記下段ポケットに収納可能としたことを特徴とする冷蔵庫。
【請求項２】
短尺形状の食品を収納する場合には、前記底面部材を前記上段ポケットに設置して前記上段ポケットに収納可能にし、長尺形状の食品を収納する場合には、前記上段ポケットから前記底面部材を取り外して前記上段ポケットの前記底面開口部を貫通させて直立状態で収納可能としたことを特徴とする請求項１に記載の冷蔵庫。
【請求項３】
前記上段ポケットの底部に設けられ、内面方向に突出するように設けられたフチ部を備え、前記底面部材を前記フチ部に載置することにより着脱可能にしたことを特徴とする請求項１または請求項２に記載の冷蔵庫。
【請求項４】
前記底面部材の周囲の少なくとも１箇所に切り欠き部を設け、前記切欠き部に指を挿入して前記底面部材を取り外すようにしたことを特徴とする請求項１乃至請求項３のいずれかに記載の冷蔵庫。
【請求項５】
上端面の外面方向に突出する引っ掛け部を有する容器状の底面部材を備え、前記引っ掛け部を前記上段ポケットの上端面に載置するか、あるいは引っ掛けることにより前記底面部材を着脱可能にしたことを特徴とする請求項１または請求項２に記載の冷蔵庫。
【請求項６】
前記引っ掛け部の外面方向への突出長さを前記上段ポケットあるいは前記下段ポケットの上端面の厚さよりも大きくしたことを特徴とする請求項５に記載の冷蔵庫。
【請求項７】
前記底面部材に長尺形状の野菜が貫通する程度の開口部を設けたことを特徴とする請求項１乃至請求項６のいずれかに記載の冷蔵庫。
【請求項８】
前記底面部材に小物食品などを小分け収納できる仕切を設けたことを特徴とする請求項１乃至請求項７のいずれかに記載の冷蔵庫。
【発明の詳細な説明】
【技術分野】
【０００１】
本発明は冷蔵庫の扉に設けられている扉ポケットに関するものである。
【背景技術】
【０００２】
従来の冷蔵庫の扉の容器には、長尺な食品の挿入や取りだしが容易に行えるように上下に摺動可能な側面部材が設けられており、この側面部材が上下に移動することにより上部開口部並びに下部開口部の調整が可能となり、それにより食品収納や取出しを容易に行えるようにしている。（たとえば特許文献１参照）
【０００３】
また、従来の冷蔵庫の扉には、上下２段のポケットを配置したものもあり、この場合に、上段ポケットの底面を折りたたむことにより、上段ポケットと下段ポケットを使用して長尺形状の食品収納を可能としている。（たとえば特許文献２参照）
【０００４】
【特許文献１】特開２００３−５６９７７号公報
【特許文献２】実開昭５７−１８４４９３号公報
【発明の開示】
【発明が解決しようとする課題】
【０００５】
特許文献１に示されるような従来の冷蔵庫の扉ポケットにおいては、ポケットが長尺の食品サイズ対応で考えられているので、収納食品サイズに対応して収納スペースの変更が不可能であり、短尺の食品を収納した場合には、収納スペースの上部に無駄なスペースを生じていた。
【０００６】
また、特許文献２に示されるような扉ポケットでは、上段のポケット底面が折り畳み可能であるが、回転軸部分にヒンジ等の部品の追加が必要であり部品点数が増加するため、構造が複雑であり、またコストアップとなっていた。また、ポケット内に設けられた回転軸部分などの回転部にごみなどが溜まりやすくなり、また清掃性が良くないため衛生上問題であった。
【０００７】
本発明は、無だなスペースのない使い勝手のよい冷蔵庫を提供することを目的とする。また、野菜の鮮度を維持でき野菜などを長期間保存可能な冷蔵庫を提供することを目的とする。また、簡単な構造でありながら低コストの冷蔵庫を得ることを目的とする。また、ポケットおよび底面部材の清掃性のよい衛生的な冷蔵庫を得ることを目的とする。
【課題を解決するための手段】
【０００８】
この発明にかかわる冷蔵庫は、食品を所定の温度で貯蔵する冷蔵庫において、前面に開閉自在に装着された扉と、扉の内面に設けられ、底面が開口した底面開口部を有する上段ポケットと、上段ポケットに設けられ、上段ポケットの底面開口部を覆うように着脱可能に設けられ底面部材と、扉の内面に設けられ、上段ポケットの下部に設けられた下段ポケットと、を備え、底面部材が下段ポケットに収納可能としたものである。
【発明の効果】
【０００９】
本発明によれば、長尺な食品だけでなく、短尺の食品もユーザーの使い勝手で適宜選択でき、無駄なスペースのない冷蔵庫を提供できる。また、長尺形状の野菜を直立状態で収納保存できるため鮮度を長期間維持できるとともに、底面部材を下段ポケットに収納できるため底面部材が無くなることがなく、ユーザーに使い勝手の良い低コストで野菜の鮮度維持が可能な冷蔵庫が得られる。また、ポケットに回転軸やヒンジ等の部品を使用することがなく、部品点数の少ない簡単な構造でありながら低コストで使い勝手の良い冷蔵庫が得られる。また、底面部材やポケットが容易に清掃、洗浄でき、衛生的な冷蔵庫を得ることができる。また、ポケットの底面部材の取り外しが可能なため、ポケットおよび底面部材の清掃性の向上も計れ、衛生的な冷蔵庫が得られる。
【発明を実施するための最良の形態】
【００１０】
実施の形態１．
図１は、本発明の実施の形態１を表す冷蔵庫の構成を表す正面図、図２は本発明の実施の形態１を表す冷蔵庫の野菜室扉の要部斜視図である。また、図３は本発明の実施の形態１を表す冷蔵庫の上段ポケットの上面図であり、図４は本発明の実施の形態１を表す冷蔵庫の上段ポケットの斜視図である。また、図５は、本発明の実施の形態１を表す冷蔵庫の扉ポケットに使用される底面部材の斜視図、図６は、本発明の実施の形態１を表す冷蔵庫の扉ポケットに使用される底面部材の上面図である。図において、冷蔵庫本体１００には、上段にほぼ中央部より左右に開閉される観音式扉１Ａ、１Ｂを有する冷蔵室１が設けられている。また、冷蔵室１の下部にもほぼ中央部より左右に開閉される観音式扉を有する貯蔵室が仕切壁を介して複数室設けられており、冷蔵室１下部の左側約半分には製氷室２が設けられ、製氷室２の下部に冷凍室３が設けられ、また、冷蔵室１下部の右側約半分には野菜室４が設けられている。
【００１１】
野菜室４内には、引き出し式の収納ケース１０、１１、１２、１３が４個上下に設けられている。この野菜室４には開閉自在の野菜室扉２０が設けられており、この扉２０の内面の内板には、扉２０を閉めた状態で冷蔵庫本体１００の背面方向（奥行き方向）に突出した上面が開口した複数の収納容器（上段ポケット２１、下段ポケット２２）が上下に設置されている。上下に配置された収納容器（ポケット２１、２２）のうち上段ポケット２１の底面部分には底面開口部２１Ａが設けられており、この底面開口部２１Ａの周囲にはフチ部２１Ｂが設けられている。したがって、この状態（上段ポケット２１の底面開口部２１Ａが開口している状態）では、上段ポケット２１と下段ポケット２２の両方を使用することにより、上段ポケット２１の高さ位置よりも長いねぎやごぼうなどの長尺な野菜を立てた状態（直立状態）で収納することができる。
【００１２】
図３、図４において、上段ポケット２１は、両側面に２１Ｃ、２１Ｄにおいて、扉２０の内板と係合されている。ここで、下段ポケット２２は、上段ポケット２１に設けられている底面開口部２１Ａは設けられていないが、ポケットの形状や大きさなどは同等に設計されている。
【００１３】
ここで、本実施の形態では、別部品で構成された底面部材２３が、上段ポケット２１の内面方向に突出したフチ部２１Ｂ上に底面開口部２１Ａの少なくとも一部を塞ぐように乗せられて載置されている。ここで、フチ部２１Ｂは、上段ポケット２１の底部の全周囲になくてもよく、底面部材２３が落下しない程度に数カ所設けられていれば良い。この底面部材２３は、上段ポケット２１だけでなく、下段ポケット２２にも設置できるようになっており、短尺の食品などを保存する場合には、底面部材２３にて上段ポケット２１の底面開口部２１Ａを塞ぐようにして上段ポケット２１に収納できる。また、長尺の食品を保存する場合には、底面部材２３を下段ポケット２２の底面に設置して、上段ポケット２１の底面開口部２１Ａには底面部材２３を設置せず開放状態にして上段ポケット２１と下段ポケット２２の両方を使用して長尺の食品を収納・保存する。
【００１４】
図５、図６において、底面部材２３の形状はポケット２１、２２の底面形状と略合致した形状（底面形状と略同等形状）でポケット２１、２２の内部に収納・設置できるようになっており、底面部材２３は、底面開口部２１Ａの外径よりも大きくポケット２１の内径（フチ部２１Ｂの内径）よりも小さく形成されており、底面開口部２１Ａを開口した状態で使用しない場合は、上段ポケット２１の底面のフチ部２１Ｂ上に設置されて底面開口部２１Ａの少なくとも一部を覆うことにより下段ポケット２２と同様に短尺形状の食品などを単独で直立状態で収納可能となっており、底面開口部２１Ａを開口した状態で使用する場合には、底面部材２３を下段ポケット２２の内部の底面に設置することで、ねぎ、ごぼう等の長尺形状の食品を上段ポケット２１の底面開口部２１Ａを貫通させて下段ポケット２２で受けることによって、長尺の食品などを直立状態で収納を可能としている。
【００１５】
すなわち、上段ポケット２１の高さ位置よりも長いねぎやごぼうなどの長尺な野菜は、上段ポケット２１の底面開口部２１Ａを貫通させるようにして下段ポケット２２に収納するようにすれば、上段ポケット２１と下段ポケット２２の両方を使用して長尺な野菜を直立した状態で収納することができるようになる。また、上段ポケット２１の底面開口部２１Ａを底面部材２３にて覆うように設置すれば、上段ポケット２１も小物収納容器として使用できるようになるため、上段ポケット２１の高さ位置よりも低い短尺な野菜（たとえばスイートコーンやアスパラガスなど）を、上段ポケット２１、下段ポケット２２のどちらか好きな方に直立した状態で収納させることができる。野菜などは、上方へ成長しようとするので、冷蔵庫内で野菜の成長を妨げることなく野菜にとって良好な状態で保存でき、鮮度を長時間維持できる。
【００１６】
ここで、底面部材２３には、少なくとも１箇所の端部に半円状の切り欠き２３Ａが設けられている。この底面部材の外径寸法は、収納容器であるポケット２１、２２の内径寸法よりも若干小さく形成されており、ポケット２１、２２の両方に収納・設置できるようになっている。底面部材２３を収納容器であるポケット２１、２２の底面に設置した状態より取り出すときには、半円形状の切り欠き２３Ａに指を引っ掛けることで容易にポケット２１、２２より取り外すことができる。このように、本実施の形態では、底面部材が簡単に取り外すことができるので、底面部材２３やポケット２１、２２が容易に清掃、洗浄でき、衛生的な冷蔵庫を得ることができる。
【００１７】
また、本実施の形態では、上段ポケット２１の底面開口部２１Ａを塞ぐ底面部材２３を使用することにより上段ポケット２１が小物容器として使用できるので、長尺の食品を収納しない場合でも上段ポケット２１に短尺の食品など小物食品が収納でき、扉２０の上部のスペース（上段ポケット２１の上部スペース）が無駄なスペースとならず、効率的に庫内容積を使用できる。したがって、長尺な食品や短尺な食品のそれぞれの大きさに応じての食品収納スペースを選択でき、ユーザーにとって使い勝手が良く、無だなスペースの少ない冷蔵庫を得ることができる。
【００１８】
図１〜図６においては、上段ポケット２１の底面開口部２１Ａの周囲にはフチ部２１Ｂが設けられており、このフチ部２１Ｂの上に底面部材２３を載置する例について説明したが、上段ポケット２１にフチ部２１Ｂを設ける必要はない。上段ポケット２１の底部にフチ部２１Ｂを設けない場合は、図７、図８のような底面部材２４を使用すればよい。
【００１９】
図７は本発明の実施の形態１を表す冷蔵庫の別の底面部材の斜視図、また、図８は、本発明の実施の形態１を表す冷蔵庫の別の底面部材の上面図である。底面部材２４は、容器状であり、底部２４Ａを有する有底の容器である。たとえば、上段ポケット２１の底面開口部２１Ａの周囲にフチ部２１Ｂが設けられていないフチ無しポケット（図示せず）の場合には、図５、図６に示した底面部材２３では上段ポケット２１にフチ部２１Ｂがないので底面開口部２１Ａより落下してしまう恐れがあり上段ポケット２１内に設置できず上段ポケット２１を容器として使用できないが、図７、図８に示す底面部材２４を使用するようにすれば上端部に少なくとも２箇所に引っ掛け部２４Ｂが設けられているので、この引っ掛け部２４Ｂを上段ポケット２１の上端面に引っ掛けることにより上段ポケット２１が容器として使用できるようになる。これにより、上段ポケット２１が短尺の野菜の収納や小物食品の収納ができるようになる。
【００２０】
また、ねぎやごぼうなどの長尺形状の野菜などを収納する場合など底面部材２４を上段ポケット２１に使用しない場合には、下段ポケット２２内に収納できるようになっている。この場合には、底面部材２４が下段ポケット２４の容器として使用される。したがって、長尺形状の野菜などは上段ポケット２１の底面開口部２１Ａを貫通して下段ポケット２２に直立した状態で収納できるようになる。このとき、上段ポケット２１にはフチ部２１Ｂがないので、野菜などがフチ部２１Ｂに接触して傷つくことが無くなり、鮮度を長時間維持できる。
【００２１】
本実施の形態では、食品を所定の温度で貯蔵する冷蔵庫１００において、前面に開閉自在に装着された扉２０と、扉２０の内面に設けられ、底面が開口した底面開口部２１Ａを有する上段ポケット２１と、上段ポケット２１に設けられ、上段ポケット２１の底面開口部２１Ａを覆うように着脱可能に設けられ底面部材２３、２４と、扉２０の内面に設けられ、上段ポケット２１の下部に設けられた下段ポケット２２と、を備え、底面部材２３、２４が下段ポケット２２に収納可能としたので、長尺形状の食品だけでなく、短尺形状の食品もユーザーの使い勝手で適宜使用するポケットが選択できるため、下段ポケットの上部に無駄なスペースが発生しない使い勝手の良い冷蔵庫を提供できる。また、長尺形状の野菜を直立状態で収納保存できるため鮮度を長期間維持できるとともに、底面部材を下段ポケットに収納できるため底面部材が無くなることがなく、ユーザーに使い勝手の良い低コストで野菜の鮮度維持が可能な冷蔵庫が得られる。また、底面部材２３やポケット２１、２２が容易に清掃、洗浄でき、衛生的な冷蔵庫を得ることができる。また、上段ポケット２１に底面部材２３、２４を使用しない場合でも収納場所を別途確保する必要がなく、省スペースな冷蔵庫が提供できる。
【００２２】
また、短尺形状の食品を収納する場合には、底面部材２３、２４を上段ポケット２１に設置して上段ポケット２１に収納可能にし、長尺形状の食品を収納する場合には、上段ポケット２１から底面部材２３、２４を取り外して上段ポケット２１の底面開口部２１Ａを貫通させて直立状態で収納可能としたので、長尺形状の野菜を直立状態で収納でき、上方へ成長しようとする野菜の成長を妨げることなく野菜にとって良好な状態で保存できるため、野菜の鮮度を長時間維持できる。
【００２３】
また、上段ポケット２１の底部に設けられ、内面方向に突出するように設けられたフチ部２１Ｂを備え、底面部材２３、２４をフチ部２１Ｂに載置することにより着脱可能にしたので、簡単な構成でありながら、底面部材を着脱可能に載置でき、また、底面部材の洗浄も容易に行える。
【００２４】
また、底面部材２３の周囲の少なくとも１箇所に切り欠き部２３Ａを設け、切欠き部２３Ａに指を挿入して底面部材２３を取り外すようにしたので、底面部材が誰でも簡単に着脱できる。
【００２５】
また、上端面の外面方向に突出する引っ掛け部２４Ｂを有する容器状の底面部材２４を備え、引っ掛け部２４Ｂを上段ポケット２１の上端面に載置するか、あるいは引っ掛けることにより底面部材２４を着脱可能にしたので、簡単な構成でありながら底面部材が上段ポケットに簡単に載置、取り外しができる。また、底面部材２４を下段ポケット２２にも収納できるようにしており、上段ポケット２１に底面部材２４を使用しない場合でも収納場所を別途確保する必要がなく、省スペースな冷蔵庫が提供できる。
【００２６】
また、引っ掛け部２４Ｂの外面方向への突出長さを上段ポケット２１あるいは下段ポケット２２の上端面の厚さよりも大きくしたので、ユーザーが簡単に引っ掛け部を掴んだり持ったりすることができ、誰でも簡単に底面部材の着脱が行える。
【００２７】
また、底面部材２３、２４に長尺形状の野菜が貫通する程度の開口部（たとえばねぎやごぼうなどが数本程度挿入できる程度の開口で直径５ｃｍ〜１０ｃｍ程度の穴など）を設けるようにしており、底面部材を上段ポケット２１に載置した状態で長尺形状の野菜を収納でき底面部材を取り外す手間がかからずユーザーに使いやすい冷蔵庫が得られる。
【００２８】
また、底面部材２３、２４に小物食品などを小分け収納できる仕切を設ければ、小物食品や短尺形状の野菜などを区別して収納することができ、ユーザーが一目で収納保存している野菜を探すことができ、扉２０の開放時間を短縮でき、経済的で省エネルギーな冷蔵庫を得ることができる。
【図面の簡単な説明】
【００２９】
【図１】本発明の実施の形態１を表す冷蔵庫の構成を表す正面図である。
【図２】本発明の実施の形態１を表す冷蔵庫の野菜室扉の要部斜視図である。
【図３】本発明の実施の形態１を表す冷蔵庫の上段ポケットの上面図である。
【図４】本発明の実施の形態１を表す冷蔵庫の上段ポケットの斜視図である。
【図５】本発明の実施の形態１を表す冷蔵庫の扉ポケットに使用される底面部材の斜視図である。
【図６】本発明の実施の形態１を表す冷蔵庫の扉ポケットに使用される底面部材の上面図である。
【図７】本発明の実施の形態１を表す冷蔵庫の別の底面部材の斜視図である。
【図８】本発明の実施の形態１を表す冷蔵庫の別の底面部材の上面図である。
【符号の説明】
【００３０】
１  冷蔵室、２  冷凍室、３  冷凍室、４  野菜室、１０、１１、１２、１３  収納ケース、２０  野菜室扉、２１  上段ポケット、２１Ａ  底面開口部、２１Ｂ  フチ部、２１Ｃ、２１Ｄ  係合部、２２  下段ポケット、２３  底面部材、２３Ａ  切り欠き、２４  底面部材、２４Ａ  底部、２４Ｂ  引っ掛け部、１００  冷蔵庫本体。
【図１】
2006057896.tif 000003
【図２】
2006057896.tif 000004
【図３】
2006057896.tif 000005
【図４】
2006057896.tif 000006
【図５】
2006057896.tif 000007
【図６】
2006057896.tif 000008
【図７】
2006057896.tif 000009
【図８】
2006057896.tif 000010